(57)【要約】【課題】本発明はアクセサリー展示台を開示した。【解決手段】展示台を含み、前記展示台の下端にはスタンドが設けられ、前記スタンドの中には前記展示台を回転連動させる回転装置が設けられ、前記展示台の中には作動チャンバが設けられ、前記作動チャンバの左右端壁には展示溝が対称的に設けられ、前記作動チャンバの上下端壁には支持枠が固定的に設けられ、まずスタンドを卓上に固定的に取り付け、第一モーターを始動し、これによりモーター軸と、第一傘歯車と、第二傘歯車とを回転連動させ、そしてボタンを中へ押し、これにより第三傘歯車と第一傘歯車とを噛合させ、本装置はネックレス、指輪などの貴重な商品を安全に展示でき、展示しない時、指輪などの物を回収でき、盗難事件などの利益を損なうことを防止する。【選択図】図１
2020182747.tif 000002
【特許請求の範囲】
【請求項１】
正面視で、展示台を含み、前記展示台の下端にはスタンドが設けられ、前記スタンドの中には前記展示台を回転連動させる回転装置が設けられ、前記展示台の中には作動チャンバが設けられ、前記作動チャンバの左右端壁には展示溝が対称的に設けられ、前記作動チャンバの上下端壁には支持枠が固定的に設けられ、前記支持枠の中には動力溝が設けられ、前記動力溝の下端には前記作動チャンバと連通している伝動溝が設けられ、前記作動チャンバの上端壁には第一モーターが固定的に設けられ、前記第一モーターの下端にはモーター軸が連結され、前記モーター軸が下へ伸びて前記動力溝の上下端壁と、前記伝動溝の上下端壁と、前記作動チャンバの下端壁と回転できるように連結され、前記モーター軸のうち前記動力溝の中にある部分には第一傘歯車が固定的に設けられ、前記モーター軸のうち前記伝動溝の中にある部分には第二傘歯車が固定的に設けられ、前記動力溝の左右端壁には抜き穴が対称的に設けられ、前記作動チャンバの左右端には収納溝が対称的に設けられ、前記展示台の左右両端にはボタン溝が対称的に設けられ、前記ボタン溝の中にはボタンがスライドできるように連結され、前記ボタンと前記ボタン溝とには復帰バネが上下に対称的に固定的に設けられ、二つの前記ボタンの一端にはそれぞれ移動軸が回転できるように連結され、前記収納溝の左右端壁には中空軸が回転できるように連結され、前記中空軸が前記支持枠の方向へ伸びて前記スタンドの中に入り、且つ前記支持枠と回転できるように連結され、前記移動軸と前記中空軸とがスライドできるように連結され、前記移動軸が前記中空軸を貫通し前記抜き穴を貫き前記動力溝の中に入り、前記中空軸の中にはフェザーキー溝が設けられ、前記フェザーキー溝の中には前記移動軸と固定的に連結されたフェザーキーがスライドできるように連結され、前記移動軸のうち前記動力溝の中にあるところには前記第一傘歯車と噛合できる第三傘歯車が固定的に設けられ、前記中空軸のうち前記収納溝にあるところにはウォームが固定的に設けられ、前記収納溝の前後端壁にはウォームホイール軸が回転できるように連結され、前記ウォームホイール軸の後端には前記ウォームと噛合するウォームホイールが固定的に設けられ、前記ウォームホイール軸の前端には巻き輪が固定的に設けられ、前記収納溝の一端壁には位置制限スライド溝が設けられ、前記収納溝の中には前記展示溝を仕切ることができる仕切り板がスライドできるように連結され、前記仕切り板と前記巻き輪との間には紐が連結され、前記位置制限スライド溝の中には前記仕切り板と固定的に連結された位置制限ブロックがスライドできるように連結され、前記仕切り板のうち前記作動チャンバに近接する端面には上げブロックが固定的に設けられ、前記位置制限ブロックと前記位置制限スライド溝との間には位置制限バネが連結され、前記伝動溝の下端壁にはベルト溝が左右に対称的に設けられ、前記ベルト溝と、前記伝動溝と、前記作動チャンバとの中にはアクセサリーを押し出して展示する送り装置が設けられることを特徴とするアクセサリー展示台。
【請求項２】
前記回転装置は前記スタンドの上端面に固定的に取り付けられた第二モーターを含み、前記第二モーターの上端には前記展示台の回転を制御できる駆動軸が連結され、前記駆動軸の上端と前記展示台の下端面とが固定的に連結されることを特徴とする請求項１に記載のアクセサリー展示台。
【請求項３】
前記送り装置は前記作動チャンバの左右端壁に左右に対称的に設けられたＴ型溝を含み、前記Ｔ型溝の中にはぞれぞれＴ型ブロックがスライドできるように連結され、前記Ｔ型ブロックと前記Ｔ型溝との間にはＴ型溝バネが連結され、前記Ｔ型ブロックの一端には昇降板が固定的に設けられ、前記昇降板の一端には横軸が回転できるように連結され、二つの前記横軸がそれぞれ前記伝動溝の中へ伸びており、且つ前記伝動溝の中に入り、前記横軸にはそれぞれ第四傘歯車と前記第一プーリーとが固定的に設けられ、前記第四傘歯車が前記第二傘歯車と噛合でき、前記ベルト溝の左右端壁には親ねじが回転できるように連結され、前記親ねじのうち前記ベルト溝の中にあるところに第二プーリーが固定的に設けられ、前記第二プーリーと前記第一プーリーとの間には弾性ベルトが連結され、二つの前記親ねじがそれぞれ前記ベルト溝を貫通し前記作動チャンバの中に入り、前記親ねじがまた前記支持枠と回転できるように連結され、前記親ねじのうち前記作動チャンバの中にあるところにはねじ山スリーブがねじ山によって連結され、前記ねじ山スリーブの下端面には前記作動チャンバの下端壁及び前記展示溝の下端壁とスライドできるように連結された移動スライドブロックが固定的に設けられ、前記ねじ山スリーブの上端面にはアクセサリーを展示できる積載台が固定的に設けられることを特徴とする請求項１に記載のアクセサリー展示台。
【発明の詳細な説明】
【技術分野】
【０００１】
本発明はアクセサリー分野を取り上げて、具体的にはアクセサリー展示台である。
【背景技術】
【０００２】
いくつかの宝石店で、伝統的な宝石展示台の安全性能が比較的に悪く、多くの宝石が展示された後に安全の空間に置かれることができなく、犯罪者に隙を見せるため、大きな経済損失を招きかねない。
【先行技術文献】
【特許文献】
【０００３】
【特許文献１】中国特許出願公開第106724430号明細書
【発明の概要】
【発明が解決しようとする課題】
【０００４】
本発明の目的はアクセサリー展示台を提供し、それは上記の現在の技術中の問題を解決できる。
【課題を解決するための手段】
【０００５】
上記の課題を解決するため、本発明は以下の技術プランを採用する：本発明のアクセサリー展示台は、展示台を含み、前記展示台の下端にはスタンドが設けられ、前記スタンドの中には前記展示台を回転連動させる回転装置が設けられ、前記展示台の中には作動チャンバが設けられ、前記作動チャンバの左右端壁には展示溝が対称的に設けられ、前記作動チャンバの上下端壁には支持枠が固定的に設けられ、前記支持枠の中には動力溝が設けられ、前記動力溝の下端には前記作動チャンバと連通している伝動溝が設けられ、前記作動チャンバの上端壁には第一モーターが固定的に設けられ、前記第一モーターの下端にはモーター軸が連結され、前記モーター軸が下へ伸びて前記動力溝の上下端壁と、前記伝動溝の上下端壁と、前記作動チャンバの下端壁と回転できるように連結され、前記モーター軸のうち前記動力溝の中にある部分には第一傘歯車が固定的に設けられ、前記モーター軸のうち前記伝動溝の中にある部分には第二傘歯車が固定的に設けられ、前記動力溝の左右端壁には抜き穴が対称的に設けられ、前記作動チャンバの左右端には収納溝が対称的に設けられ、前記展示台の左右両端にはボタン溝が対称的に設けられ、前記ボタン溝の中にはボタンがスライドできるように連結され、前記ボタンと前記ボタン溝とには復帰バネが上下に対称的に固定的に設けられ、二つの前記ボタンの一端にはそれぞれ移動軸が回転できるように連結され、前記収納溝の左右端壁には中空軸が回転できるように連結され、前記中空軸が前記支持枠の方向へ伸びて前記スタンドの中に入り、且つ前記支持枠と回転できるように連結され、前記移動軸と前記中空軸とがスライドできるように連結され、前記移動軸が前記中空軸を貫通し前記抜き穴を貫き前記動力溝の中に入り、前記中空軸の中にはフェザーキー溝が設けられ、前記フェザーキー溝の中には前記移動軸と固定的に連結されたフェザーキーがスライドできるように連結され、前記移動軸のうち前記動力溝の中にあるところには前記第一傘歯車と噛合できる第三傘歯車が固定的に設けられ、前記中空軸のうち前記収納溝にあるところにはウォームが固定的に設けられ、前記収納溝の前後端壁にはウォームホイール軸が回転できるように連結され、前記ウォームホイール軸の後端には前記ウォームと噛合するウォームホイールが固定的に設けられ、前記ウォームホイール軸の前端には巻き輪が固定的に設けられ、前記収納溝の一端壁には位置制限スライド溝が設けられ、前記収納溝の中には前記展示溝を仕切ることができる仕切り板がスライドできるように連結され、前記仕切り板と前記巻き輪との間には紐が連結され、前記位置制限スライド溝の中には前記仕切り板と固定的に連結された位置制限ブロックがスライドできるように連結され、前記仕切り板のうち前記作動チャンバに近接する端面には上げブロックが固定的に設けられ、前記位置制限ブロックと前記位置制限スライド溝との間には位置制限バネが連結され、前記伝動溝の下端壁にはベルト溝が左右に対称的に設けられ、前記ベルト溝と、前記伝動溝と、前記作動チャンバとの中にはアクセサリーを押し出して展示する送り装置が設けられる。
【０００６】
優選の技術プランとして、前記回転装置は前記スタンドの上端面に固定的に取り付けられた第二モーターを含み、前記第二モーターの上端には前記展示台の回転を制御できる駆動軸が連結され、前記駆動軸の上端と前記展示台の下端面とが固定的に連結される。
【０００７】
優選の技術プランとして、前記送り装置は前記作動チャンバの左右端壁に左右に対称的に設けられたＴ型溝を含み、前記Ｔ型溝の中にはぞれぞれＴ型ブロックがスライドできるように連結され、前記Ｔ型ブロックと前記Ｔ型溝との間にはＴ型溝バネが連結され、前記Ｔ型ブロックの一端には昇降板が固定的に設けられ、前記昇降板の一端には横軸が回転できるように連結され、二つの前記横軸がそれぞれ前記伝動溝の中へ伸びており、且つ前記伝動溝の中に入り、前記横軸にはそれぞれ第四傘歯車と前記第一プーリーとが固定的に設けられ、前記第四傘歯車が前記第二傘歯車と噛合でき、前記ベルト溝の左右端壁には親ねじが回転できるように連結され、前記親ねじのうち前記ベルト溝の中にあるところに第二プーリーが固定的に設けられ、前記第二プーリーと前記第一プーリーとの間には弾性ベルトが連結され、二つの前記親ねじがそれぞれ前記ベルト溝を貫通し前記作動チャンバの中に入り、前記親ねじがまた前記支持枠と回転できるように連結され、前記親ねじのうち前記作動チャンバの中にあるところにはねじ山スリーブがねじ山によって連結され、前記ねじ山スリーブの下端面には前記作動チャンバの下端壁及び前記展示溝の下端壁とスライドできるように連結された移動スライドブロックが固定的に設けられ、前記ねじ山スリーブの上端面にはアクセサリーを展示できる積載台が固定的に設けられる。
【発明の効果】
【０００８】
本装置はネックレス、指輪などの貴重な商品を安全に展示でき、展示しない時、指輪などの物を回収でき、盗難事件などの利益を損なうことを防止する。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のアクセサリー展示台の全体断面正面構成略図
【図２】図２は図１のＡの部分拡大略図
【図３】図３は図１のＢの部分拡大略図
【図４】図４は図１のＣ―Ｃの断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜４を参照し、本発明のアクセサリー展示台は、展示台２１を含み、前記展示台２１の下端にはスタンド３５が設けられ、前記スタンド３５の中には前記展示台２１を回転連動させる回転装置１０１が設けられ、前記展示台２１の中には作動チャンバ２８が設けられ、前記作動チャンバ２８の左右端壁には展示溝４０が対称的に設けられ、前記作動チャンバ２８の上下端壁には支持枠２２が固定的に設けられ、前記支持枠２２の中には動力溝２７が設けられ、前記動力溝２７の下端には前記作動チャンバ２８と連通している伝動溝２９が設けられ、前記作動チャンバ２８の上端壁には第一モーター２４が固定的に設けられ、前記第一モーター２４の下端にはモーター軸２６が連結され、前記モーター軸２６が下へ伸びて前記動力溝２７の上下端壁と、前記伝動溝２９の上下端壁と、前記作動チャンバ２８の下端壁と回転できるように連結され、前記モーター軸２６のうち前記動力溝２７の中にある部分には第一傘歯車２５が固定的に設けられ、前記モーター軸２６のうち前記伝動溝２９の中にある部分には第二傘歯車３０が固定的に設けられ、前記動力溝２７の左右端壁には抜き穴６６が対称的に設けられ、前記作動チャンバ２８の左右端には収納溝４５が対称的に設けられ、前記展示台２１の左右両端にはボタン溝５４が対称的に設けられ、前記ボタン溝５４の中にはボタン５２がスライドできるように連結され、前記ボタン５２と前記ボタン溝５４とには復帰バネ５３が上下に対称的に固定的に設けられ、二つの前記ボタン５２の一端にはそれぞれ移動軸５１が回転できるように連結され、前記収納溝４５の左右端壁には中空軸５６が回転できるように連結され、前記中空軸５６が前記支持枠２２の方向へ伸びて前記スタンド３５の中に入り、且つ前記支持枠２２と回転できるように連結され、前記移動軸５１と前記中空軸５６とがスライドできるように連結され、前記移動軸５１が前記中空軸５６を貫通し前記抜き穴６６を貫き前記動力溝２７の中に入り、前記中空軸５６の中にはフェザーキー溝５７が設けられ、前記フェザーキー溝５７の中には前記移動軸５１と固定的に連結されたフェザーキー５８がスライドできるように連結され、前記移動軸５１のうち前記動力溝２７の中にあるところには前記第一傘歯車２５と噛合できる第三傘歯車２３が固定的に設けられ、前記中空軸５６のうち前記収納溝４５にあるところにはウォーム５５が固定的に設けられ、前記収納溝４５の前後端壁にはウォームホイール軸４８が回転できるように連結され、前記ウォームホイール軸４８の後端には前記ウォーム５５と噛合するウォームホイール５０が固定的に設けられ、前記ウォームホイール軸４８の前端には巻き輪４９が固定的に設けられ、前記収納溝４５の一端壁には位置制限スライド溝４４が設けられ、前記収納溝４５の中には前記展示溝４０を仕切ることができる仕切り板４２がスライドできるように連結され、前記仕切り板４２と前記巻き輪４９との間には紐５９が連結され、前記位置制限スライド溝４４の中には前記仕切り板４２と固定的に連結された位置制限ブロック４３がスライドできるように連結され、前記仕切り板４２のうち前記作動チャンバ２８に近接する端面には上げブロック４１が固定的に設けられ、前記位置制限ブロック４３と前記位置制限スライド溝４４との間には位置制限バネ４６が連結され、前記伝動溝２９の下端壁にはベルト溝３７が左右に対称的に設けられ、前記ベルト溝３７と、前記伝動溝２９と、前記作動チャンバ２８との中にはアクセサリーを押し出して展示する送り装置１０２が設けられる。
【００１４】
前記回転装置１０１は前記スタンド３５の上端面に固定的に取り付けられた第二モーター３４を含み、前記第二モーター３４の上端には前記展示台２１の回転を制御できる駆動軸３３が連結され、前記駆動軸３３の上端と前記展示台２１の下端面とが固定的に連結され、前記第二モーター３４を始動する時、前記駆動軸３３と前記展示台２１とを回転連動させ、その作用はアクセサリーを回転させることであり、展示に便利である。
【００１５】
前記送り装置１０２は前記作動チャンバ２８の左右端壁に左右に対称的に設けられたＴ型溝６２を含み、前記Ｔ型溝６２の中にはぞれぞれＴ型ブロック６４がスライドできるように連結され、前記Ｔ型ブロック６４と前記Ｔ型溝６２との間にはＴ型溝バネ６３が連結され、前記Ｔ型ブロック６４の一端には昇降板６１が固定的に設けられ、前記昇降板６１の一端には横軸６０が回転できるように連結され、二つの前記横軸６０がそれぞれ前記伝動溝２９の中へ伸びており、且つ前記伝動溝２９の中に入り、前記横軸６０にはそれぞれ第四傘歯車３８と前記第一プーリー３９とが固定的に設けられ、前記第四傘歯車３８が前記第二傘歯車３０と噛合でき、前記ベルト溝３７の左右端壁には親ねじ４７が回転できるように連結され、前記親ねじ４７のうち前記ベルト溝３７の中にあるところに第二プーリー３６が固定的に設けられ、前記第二プーリー３６と前記第一プーリー３９との間には弾性ベルト６７が連結され、二つの前記親ねじ４７がそれぞれ前記ベルト溝３７を貫通し前記作動チャンバ２８の中に入り、前記親ねじ４７がまた前記支持枠２２と回転できるように連結され、前記親ねじ４７のうち前記作動チャンバ２８の中にあるところにはねじ山スリーブ３２がねじ山によって連結され、前記ねじ山スリーブ３２の下端面には前記作動チャンバ２８の下端壁及び前記展示溝４０の下端壁とスライドできるように連結された移動スライドブロック６５が固定的に設けられ、前記ねじ山スリーブ３２の上端面にはアクセサリーを展示できる積載台３１が固定的に設けられ、前記上げブロック４１が前記昇降板６１を上に移動連動させる時、これにより前記横軸６０を上に移動させ、これにより前記第二傘歯車３０と前記第四傘歯車３８とを噛合させ、これにより前記第一プーリー３９と、前記第二プーリー３６と、前記親ねじ４７とを回転連動させ、これにより前記ねじ山スリーブ３２が前記積載台３１を前記展示溝４０の中に押して展示し、その作用は展示するときにアクセサリーを出すことであり、観察に便利である。
【００１６】
使用する時、まずスタンド３５を卓上に固定的に取り付け、第一モーターを始動し、これによりモーター軸２６と、第一傘歯車２５と、第二傘歯車３０とを回転連動させ、そしてボタン５２を中へ押し、これにより第三傘歯車２３と第一傘歯車２５とを噛合させ、これにより移動軸５１と、中空軸５６と、ウォーム５５と、ウォームホイール５０と、ウォームホイール軸４８及び巻き輪４９を回転連動させ、これにより仕切り板４２を上に引き、上げブロック４１が昇降板６１を上に移動連動させる時、これにより横軸６０を上に移動させ、これにより前記第二傘歯車３０と前記第四傘歯車３８とを噛合させ、これにより前記第一プーリー３９と、前記第二プーリー３６と、前記親ねじ４７とを回転連動させ、これにより前記ねじ山スリーブ３２が前記積載台３１を前記展示溝４０の中に押して展示し、そして第二モーター３４を始動する時、これにより駆動軸３３と展示台２１とを回転連動させ、回収する時に、第一モーター２４を反転に始動し、まずねじ山スリーブ３２を回収し、そしてボタン５２を中へ押し、仕切り板４２を下ろし、展示溝４０を仕切る。
【００１７】
本発明の有益効果は：本装置はネックレス、指輪などの貴重な商品を安全に展示でき、展示しない時、指輪などの物を回収でき、盗難事件などの利益を損なうことを防止する。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182747.tif 000003
【図２】
2020182747.tif 000004
【図３】
2020182747.tif 000005
【図４】
2020182747.tif 000006